(57)【要約】【課題】着脱作業をスムースに、かつ、容易に行うことができる表示装置の取付構造を提供する。【解決手段】計器パネル装置の筐体１０に設けた表示室５に、ＬＣＤ表示器５０の略薄箱形状の本体５１を一端側から差し込んで回動させて取付ける取付構造であって、表示室５の周囲を取り囲む筐体１０側の側壁面５Ｃ，５Ｄ、外壁面５１Ｅのうち、側壁面５Ｃ，５Ｄと、側壁面５Ｃ，５Ｄに対向する、本体５１の両側面５１Ｅ，５１Ｆとの間には、本体５１を表示室５へ挿脱させるときのガイドとなる回動ガイド手段６であるガイド溝６１とガイドピンとを備える。【選択図】図１
2010181478.tif 000002
【特許請求の範囲】
【請求項１】
計器パネル装置の筐体に設けた表示室に、表示装置本体を先端面から差し込んで回動させながら取付ける表示装置の取付構造であって、
前記本体の前記先端面の両側に位置する両側面と、前記表示室の周囲を取り囲む壁面のうちの、前記本体の前記両側面に対向する両側壁面と、の間に、前記本体を前記表示室へ挿脱させるときのガイドとなる回動ガイド手段と、
前記表示室に取付けた前記本体を該表示室に固定させる固定手段と、
を備えることを特徴とする表示装置の取付構造。
【請求項２】
前記回動ガイド手段は、前記本体の両側面または前記表示室の前記両側壁面のいずれか一方に形成された傾斜したガイド溝と、前記本体の両側面または前記表示室の前記両側壁面の他方に形成された、前記ガイド溝に係合するガイドピンと、を有する、
ことを特徴とする請求項１に記載の表示装置の取付構造。
【請求項３】
前記固定手段は、前記本体の前記先端面とは反対面の背面、または前記表示室に前記本体を収容させたときに前記背面近傍に位置する前記筐体の一部のいずれか一方に形成された爪と、前記本体の前記背面、または前記背面近傍に位置する前記筐体側の一部の他方に形成された前記爪が係合する孔と、を有する、
ことを特徴とする請求項１に記載の表示装置の取付構造。
【発明の詳細な説明】
【技術分野】
【０００１】
本発明は、車両用などの計器パネルの筐体部分に設置する、略薄箱形状の本体を有する表示装置の取付構造に関する。
【背景技術】
【０００２】
この種の表示装置として、液晶パネルからなる表示素子と、この表示素子の背後に設けられるプリント基板との間に、合成樹脂製ケースからなる保持体を配置して表示素子を保持すると共に、表示素子とプリント基板との間に両者を接続するラバーコネクタを介装し、金属製の抑え部材を通じて表示素子を保持体と共に回路基板に押圧固定するものが知られている。
【０００３】
ところが、抑え部材を引っ掛けて止める構造は、組み付け性の点で確かに有利であるが、例えば表示素子を照明すべく別途設けられる光源の熱影響や、あるいは冷熱サイクルに伴う各部品ごとの熱膨張係数の違い等に起因する位置ずれ、変形等により、プリント基板に係止した係止部が外れることがあり、固定の確実性という点では、不安が残るものであった。
【０００４】
そこで、抑え部材に設けた係止部の外れを予防した取付信頼性の高い表示装置として、例えば特許文献１に記載のものなどが提案されている。即ち、この表示装置は、図９に示すように、液晶パネル（表示素子）１００と、この液晶パネル１００の背後に設けられるプリント基板２００と、このプリント基板２００の前方に設けられ液晶パネル１００を保持する保持体１０１とを備えるとともに、プリント基板２００側に延長する延長部１０２及びこの延長部１０２の先端側に設けられる係止部１０３を有し、この係止部１０３をプリント基板２００に設けた孔２０１から挿入させて被係止部２０２に係止させることにより保持体１０１を介してプリント基板２００上に液晶パネル１００を固定する抑え部材１０４を備えている。
【０００５】
また、この表示装置には、抑え部材１０４の延長部１０２に、壁部１１０（任意の部材）と当接することにより延長部１０２自体を位置規制し、係止部１０３と被係止部２０２との係合外れを防止する突出片（規制手段）１０５を設けてある。
【先行技術文献】
【特許文献】
【０００６】
【特許文献１】特開２００１−２１５８９５号公報
【発明の概要】
【発明が解決しようとする課題】
【０００７】
ところが、上記のような表示装置にあっては、液晶パネル１００と壁部１１０（任意の部材）の間の狭い隙間に突出片（規制手段）１０５を挿入させるとともに、突出片（規制手段）１０５より先の係止部１０３を、液晶パネル１００と壁部１１０（任意の部材）の間の狭い隙間の、さらにその奥のプリント基板２００の孔２０１に通して係止させなければならないので、組付け作業が非常に厄介である。
【０００８】
また、このような複雑な構造の表示装置にあっては、組付けの際の表示装置の装着操作が面倒なだけではなく、表示装置の故障などの際に必要な表示装置の取り外し作業も面倒である。
【０００９】
本発明は、上述した事情に鑑みてなされたものであり、その目的は、着脱作業をスムースに、かつ、容易に行うことができる表示装置の取付構造を提供することである。
【課題を解決するための手段】
【００１０】
前述した目的を達成するために、本発明に係る表示装置の取付構造は、下記（１）から（３）を特徴としている。
（１）  計器パネル装置の筐体に設けた表示室に、表示装置本体を先端面から差し込んで回動させながら取付ける表示装置の取付構造であって、
前記本体の前記先端面の両側に位置する両側面と、前記表示室の周囲を取り囲む壁面のうちの、前記本体の前記両側面に対向する両側壁面と、の間に、前記本体を前記表示室へ挿脱させるときのガイドとなる回動ガイド手段と、
前記表示室に取付けた前記本体を該表示室に固定させる固定手段と、
を備えること。
（２）  （１）に記載の表示装置の取付構造において、
前記回動ガイド手段は、前記本体の両側面または前記表示室の前記両側壁面のいずれか一方に形成された傾斜したガイド溝と、前記本体の両側面または前記表示室の前記両側壁面の他方に形成された、前記ガイド溝に係合するガイドピンと、を有する、
こと。
（３）  （１）に記載の表示装置の取付構造において、
前記固定手段は、前記本体の前記先端面とは反対面の背面、または前記表示室に前記本体を収容させたときに前記背面近傍に位置する前記筐体の一部のいずれか一方に形成された爪と、前記本体の前記背面、または前記背面近傍に位置する前記筐体側の一部の他方に形成された前記爪が係合する孔と、を有する、
こと。
【００１１】
上記（１）の構成の表示装置の取付構造によれば、表示装置の本体を表示室へ挿脱させるときのガイドとなる回動ガイド手段を備えており、この回動ガイド手段を介して、表示装置の本体を回動スライドさせることで、表示装置の本体が着脱可能となるので、着脱作業をスムースに、かつ、容易に行うことができる。また、表示室に取付けた表示装置の本体を筐体に固定させる固定手段を備えたので、ねじなどでの本止めまでの間、この固定手段で仮止めを行っておけば、表示装置の本体を逆さまなどにしてもその本体を筐体から脱落させることがなく、その後の各種作業が容易にかつ確実に行える。
上記（２）の構成の表示装置の取付構造によれば、ガイド手段には、ガイド溝と、このガイド溝に係合するガイドピンを有する構成なので、簡単な構成のもので、着脱作業をスムースに、かつ、容易に行うことができる。
上記（３）の構成の表示装置の取付構造によれば、固定手段は、爪と孔とで構成したので、簡単な構成のもので、表示装置の本体を筐体から脱落させることなどが確実に防止できる。
【発明の効果】
【００１２】
本発明の表示装置の取付構造によれば、本体側の先端面の両側に位置する両側面と、筐体側の、表示室の周囲を取り囲む壁面のうち、本体側の両側面に対向する筐体側の両側壁面との間に、本体を表示室へ挿脱させるためのガイドとなる回動ガイド手段を備えており、回動ガイド手段によるガイドにより、表示装置側の本体を表示室に対して回動スライド動作させていくだけで、表示装置の本体の表示室への挿脱作業をスムースに、かつ、容易に行うことができる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】本発明の一実施形態に係る表示装置（液晶パネル）の取付構造が適用された自動車用計器パネル装置の組付け途中の状態を示す斜視図である。
【図２】図１におけるα部（ガイド溝）を示す要部拡大図である。
【図３】図１の自動車用計器パネル装置におけるＬＣＤ表示器の本体の配置状態及びその本体に設けたガイド溝の形状を示す説明図である。
【図４】図１におけるβ部（ガイドピン）を示す要部拡大図である。
【図５】図１におけるγ部（爪）を示す要部拡大図である。
【図６】図１におけるδ部（孔）を示す要部拡大図である。
【図７】（Ａ）から（Ｃ）は、本発明の一実施形態に係る表示装置（液晶パネル）の取付構造が適用された自動車用計器パネル装置における、ＬＣＤ表示器の本体の表示室への挿入動作を示す説明図である。
【図８】（Ａ）及び（Ｂ）は、図７に示すＬＣＤ表示器の本体の表示室への挿入動作の際の固定手段によるＬＣＤ表示器の本体の筐体側への固定動作を示す説明図である。
【図９】従来の表示装置を示す断面図である。
【発明を実施するための形態】
【００１５】
以下、本発明に係る好適な実施形態を添付図面に基づいて詳細に説明する。
図１は、本発明の表示装置の取付構造が適用された、本発明の一実施形態に係る自動車用計器パネル装置１を示すものであり、この自動車用計器パネル装置１は、略薄箱形状の筐体１０の一面（以下、表面１０Ａとよぶ）側に、図示外の速度計（スピードメータ）用の速度表示盤を取付けるための搭載部２と、図示外の回転計（タコメータ）用の回転表示盤を取付けるための搭載部３と、ウォーニング表示部４と、表示装置を構成するＬＣＤ表示器５０を収容するための表示室５と、を備えているとともに、筐体１０とＬＣＤ表示器５０との間に、回動ガイド手段６及び固定手段７を備えている。
【００１６】
筐体１０は、自動車の運転席の前面側に位置するダッシュボードに取付けるものであって、前述したように、本実施形態の筐体１０には、ドライバに対して各種情報を表示する自動車用計器パネルを構成する、速度計（スピードメータ）、回転計（タコメータ）、ウォーニングランプ或はインジケータ（いずれも図示しない）と、（走行距離、残燃料、時刻などを表示する）ＬＣＤ表示器５０とを設けている。
【００１７】
ＬＣＤ表示器５０は、略薄箱形状の本体５１を有しており、この本体５１の一端側（先端面側）から差し込んで、徐々に回動スライドさせながら筐体１０に設けた表示室５の奥部に向けて前進させ、表示室５に収容させる。本実施形態の本体５１には、上面５１Ａに液晶表示装置（ＬＣＤ）の液晶パネル表示画面を有するものであって、内部には液晶表示装置（ＬＣＤ）の主要部が収容されており、バックライト用の光源はＬＣＤ表示器５０に内蔵されている。
【００１８】
また、この本体５１には、この本体５１を表示室５に挿入する際の先頭部となる一面（以下、「先端面５１Ｄ」とよぶ）を挟む左右両側面５１Ｅ，５１Ｆに、後述する回動ガイド手段６の一部を構成するガイド溝６１を有するとともに、最後部となる他面（以下、「背面５１Ｇ」とよぶ）に、後述する固定手段７の一部を構成する爪７１を有する。また、この本体５１では、図１に示すように、上面５１Ａの一部がこの背面５１Ｇよりも後方に突出（以下、これを「フランジ部５１Ｈ」とよぶ）しており、この突出したフランジ部５１Ｈが、表示室５から本体５１を脱出操作させる際に指先などを係止させる係止手段として機能する（図８参照）。
【００１９】
表示室５は、筐体１０の表面（上面）１０Ａが断面略矩形状に開口された薄い箱形状を有する空間であって、底面５Ａと３つの壁面（即ち、挿入空間部５Ｂを除く、左右両側の側壁面５Ｃ，５Ｄ及び外壁面５Ｅ）とに取り囲まれている。
【００２０】
このうち、底面５Ａには、中央部側が大きく開口した開口部５Ｆを設けている。この開口部５Ｆは、筐体１０の底面（下面）１０Ｂまで貫通して開口されている。
【００２１】
挿入空間部５Ｂは、ＬＣＤ表示器５０の本体５１を表示室５に挿入させたときに本体５１側の先端面５１Ｄと対向している。なお、本実施形態の挿入空間部５Ｂは、筐体１０のウォーニング表示部４の直下付近まで奥部側に入り込んだ空間で構成されている。
【００２２】
回動ガイド手段６は、表示装置を構成するＬＣＤ表示器５０の本体５１を表示室５へ挿脱させるときのガイドとなるものであり、表示室５の周囲を取り囲む筐体１０側の３壁面のうちの左右両側壁面５Ｃ，５Ｄと、この両側壁面５Ｃ，５Ｄに対向する、ＬＣＤ表示器５０の本体５１の両側面５１Ｅ，５１Ｆと、に設けられている。
【００２３】
本実施形態の回動ガイド手段６には、表示室５の周囲を取り囲む筐体１０側の３壁面のうち、前述の挿入空間部５Ｂに隣接する両側壁面５Ｃ，５Ｄに対向するＬＣＤ表示器５０側の本体５１の両側面５１Ｅ．５１Ｆに、図２に示すような所定曲面形状にカーブしたガイド溝６１を有する。
【００２４】
また、この回動ガイド手段６には、筐体１０側の両側壁面５Ｃ，５Ｄに、図３及び図４に示すように、ＬＣＤ表示器５０の本体５１を表示室５に着脱させる挿脱動作を行う際に、ガイド溝６１に係合して本体５１の回動動作をガイドするとともに回動動作の回動支点となるガイドピン６２を有する。
【００２５】
ガイド溝６１は、図３に示すように、ＬＣＤ表示器５０の本体５１の下面５１Ｂにほぼ平行な状態で一定長さ形成された水平部６１Ａと、この水平部６１Ａから斜め上方に向けて曲線状にカーブしながら延びる回動部６１Ｂと、この曲線部６１Ｂから斜め上方に延びる傾斜部６１Ｃとを有する。なお、ガイド溝６１については、ガイドピン６２が挿入し易いようにするため、開口された出入口６１Ｄの幅Ｗを他の部分よりも若干広めに開口させておけば好都合である。
【００２６】
固定手段７は、表示室５に取付けた表示装置を構成するＬＣＤ表示器５０の本体５１を筐体１０側に固定させるものである。本実施形態の固定手段７では、図５に示すように、表示室５にＬＣＤ表示器５０の本体５１を収容させたときに、表示室５の外壁面５Ｅに対向する背面５１Ｇの上部側に爪７１を有する。
【００２７】
また、この固定手段７には、筐体１０の外壁面５Ｅの上面に、図６に示すように、起立した突起７２に開口させた孔７３を有しており、表示室５にＬＣＤ表示器５０の本体５１を収容させたときに爪７１がこの孔７３に係合する。
【００２８】
本実施形態の爪７１は、弾性力を付与して孔７３に係合したのちの係合ロック動作を確実なものとするため、ＬＣＤ表示器５０の本体５１において、図示外の圧縮ばねなどによって常時外方に向けて突出させている。また、この爪７１は、図８に示すように、先端方向に向けて窄まる方向に傾斜したテーパ面７１Ａ，７１Ｂを上下にそれぞれ設けてある。
【００２９】
これにより、ＬＣＤ表示器５０の本体５１を収容の際の表示室への落とし込み動作による孔７３への爪７１の係合動作が、下側の方のテーパ面７１Ｂにより、容易かつスムースに行うことができる。また、爪７１に設けた上側の方のテーパ面７１Ａにより、孔７３からの爪７１の脱出操作は、操作者が指などでこの爪７１を押込む動作と同時に、表示室５からのＬＣＤ表示器５０の本体５１を引き上げる動作を行うことにより、容易かつスムースに行うことができる。
【００３０】
なお、この爪７１は、ＬＣＤ表示器５０の本体５１が左右バランスの取れた安定した係合状態を確保させるため、背面５１Ｇの左右２箇所に対称的に設置されている。一方、本実施形態の孔７３についても、外壁面５Ｅの上面に左右２箇所対称的に起立させた突起７２にそれぞれ形成している。
【００３１】
従って、この爪７１は、表示室５の所定位置に装着されると、この装着完了動作を利用してＬＣＤ表示器５０の本体５１から突出する爪７１が、孔７２に入り込むように構成されている。なお、この爪７１が孔７２に嵌入すると、操作者が前述した圧縮ばねの弾性力に抗して爪７１を指などで押出さない限り、孔７２への嵌入動作が解除されない。従って、搭載部２に速度計（スピードメータ）用の速度表示盤を螺着させて取付けたり、搭載部３に回転計（タコメータ）用の回転表示盤を螺着させて取付けたりする際に、この自動車用計器パネル装置１の筐体１０を上下逆さまなどにしても、ＬＣＤ表示器５０の本体５１が表示室５に固定されて仮止めされているので、本体５１が脱落して故障したり破損する、といったことが回避できる。
【００３２】
次に、図７および図８を参照しながら、本実施形態の自動車用計器パネル装置１側の筐体１０の表示室５への、ＬＣＤ表示器５０側の本体５１の挿入固定操作及びこの表示室５からの本体５１の脱出操作について説明する。
【００３３】
初めに、ＬＣＤ表示器５０の本体５１を手で把持しながら、先端面５１Ｄを表示室５に向けて下方に傾斜させ、この先端面５１Ｄから先に、表示室５の挿入空間部５Ｂの奥部に向けて本体５１を差し込んでいく。ここでの動作は、初めに、筐体１０側の両側壁面５Ｃ，５Ｄに突設させたガイドピン６２を、本体５１の両側面５１Ｅ．５１Ｆに設けたガイド溝６１の開口された出入口６１Ｄに合致させるように上下高さ位置を揃えてから行う。
【００３４】
その後、この本体５１の先端面５１Ｄ側を先にして、徐々に回動させるようにスライド前進させ、本体５１の姿勢を水平方向に平行となるところまで回動させながら、横臥させていく。そして、本体５１のこのような回動及びスライド動作により、本体５１を、筐体１０に設けた表示室５の奥部に向けて前進させ、表示室５に水平姿勢の状態で収容させる。
【００３５】
ここで、この本体５１を表示室５に水平状態に収容させる直前の、表示室５の底面５Ａ方向へ向けた本体５１の最後の押込み動作により、図８（Ａ）に示す本体５１の背面５１Ｇに設けた下側の方の爪７１のテーパ面７１Ｂが下方へ押下されるので、この押下力を受けたテーパ面７１Ｂには、水平成分の力（即ち、同図（Ａ）において水平方向左側へ移動しようとする力）が発生する。これにより、本体５１が床方向への最後の降下動作を行うのと同時に、爪７１が左方へ押動される。その結果、爪７１は、外壁面５Ｅの上面に起立した突起７２の壁面に当接しながら下方へ向けて摺動している間に、突起７２に開口された孔７３に嵌入する。
【００３６】
このように、図７（Ｃ）及び図８（Ｂ）に示すように、本体５１が表示室５に収容されるのと略同時に、本体５１側の爪７１が筐体１０側の外壁面５Ｅの上面に起立した突起７２に設けた孔７３に嵌入してロック状態となる。これにより、本体５１が表示室５に収容された状態でしっかりと仮止めされる。
【００３７】
一方、表示室５に収容された状態で仮止めされる本体５１を、その表示室５から取り出す場合には、前述の挿入動作とは逆の動作を行うように操作すればよい。
つまり、図８（Ｂ）に示す本体５１上面５１Ａの背面５１Ｇよりも後方へ突出したフランジ部５１Ｈを指先や爪で係止させて上方へ押し上げるのと同時に、同図（Ｂ）に矢印で示す左方向に爪７１を押込み、孔７３への爪７１の嵌入動作を解除させる。
【００３８】
その後、本体５１の左右両側面５１Ｅ、５１Ｆなどを把持し、後方へ引き出しつつガイドピン６２を回動支点として、挿入時とは逆方向に回動させながら引き上げていく。これにより、本体５１は、回動ガイド手段６のガイド溝６１及びこれに係合するガイドピン６２によって脱出方向がガイドされながら、容易かつスムースに表示室５から脱出させることができる。
【００３９】
従って、本実施形態によれば、表示装置を構成するＬＣＤ表示器５０の本体５１を筐体１０側の表示室５へ一方向にスライドさせつつ回動させるようにして、差し込んで行けば、回動ガイド手段６の作用で表示室５へスムースに収容させることができる。しかも、本体５１が表示室５へ収容されるのと同時に、固定手段７により自動的に固定されてロックされ、仮止めされる。このため、ＬＣＤ表示器５０の本体５１は、図示外のねじなどで本止め作業などのために上下逆さまなどに反転させても、筐体１０側の表示室５から脱落して故障したり破損する、といったトラブルの発生が回避できる。
【００４０】
また、その後のＬＣＤ表示器５０の故障や計器盤の組み換えなどの際には、ＬＣＤ表示器５０の本体５１を筐体１０側の表示室５から簡単に取り出すことができるので、それらの作業が簡単かつスムースに行うことができる。
【００４１】
なお、本発明は上述した実施形態に何ら限定されるものではなく、その要旨を逸脱しない範囲において種々の形態で実施し得るものである。
即ち、本実施形態の回動ガイド手段６では、ＬＣＤ表示器５０の本体５１側にガイド溝を有するとともに、自動車用計器パネル装置１の筐体１０側にガイドピン６２を設けたが、互いに逆側に設けてもよい。固定手段７についても同様である。
【符号の説明】
【００４２】
１  自動車用計器パネル装置
１０  筐体
１０Ａ  表面
２  （速度表示盤）搭載部
３  （回転表示盤）搭載部
４  ウォーニング表示部
５  表示室
５Ａ  底面
５Ｂ  挿入空間部
５Ｃ，５Ｄ  側壁面
５Ｅ  外壁面
５Ｆ  開口部
５０  （表示装置を構成する）ＬＣＤ表示器
５１  本体
５１Ａ  上面
５１Ｂ  下面
５１Ｃ  開口部
５１Ｄ  先端面
５１Ｅ，５１Ｆ  （両）側面
５１Ｇ  背面
５１Ｈ  フランジ部
６  回動ガイド手段
６１  ガイド溝
６１Ａ  水平部
６１Ｂ  回動部
６１Ｃ  傾斜部
６１Ｄ  出入口
６２  ガイドピン
７  固定手段
７１  爪
【図１】
2010181478.tif 000003
【図２】
2010181478.tif 000004
【図３】
2010181478.tif 000005
【図４】
2010181478.tif 000006
【図５】
2010181478.tif 000007
【図６】
2010181478.tif 000008
【図７】
2010181478.tif 000009
【図８】
2010181478.tif 000010
【図９】
2010181478.tif 000011